(57)【要約】  両側に雄型連結部１３ａを有する雄型トラフ本体１３と、両側に雌型連結部２３ａを有する雌型トラフ本体２３が、その雄型連結部１３ａと雌型連結部２３ａを繋いで交互に連結されているコーナー用ケーブルトラフ１００において、雄型トラフ本体１３と雌型トラフ本体２３は連結された状態を維持しつつ互いの向きを切り替えることが可能になっているので、雄型トラフ本体１３と雌型トラフ本体２３の連結箇所で互いの向きを切り替えてコーナー用ケーブルトラフ１００を曲げることができる。
2016133046.tif 000002
【特許請求の範囲】
【請求項１】
第１底板と一対の第１側板を備え、前記第１側板の外面の両側に外方に突出した横凸部が形成されてなる雄型連結部を有する雄型トラフ本体と、
第２底板と一対の第２側板を備え、前記第２側板の内面の両側に前記横凸部が嵌入する横溝部が形成されてなる雌型連結部を有する雌型トラフ本体とが、前記雄型連結部と前記雌型連結部を繋いで交互に連結されているコーナー用ケーブルトラフであって、
一方の第１側板が前記第２側板に対し斜め向きで前記雌型トラフ本体の内側に移動した際、相対的に移動する他方の第１側板の前記横凸部は、嵌入している前記横溝部に移動を規制され、
他方の第１側板が前記第２側板に対し斜め向きで前記雌型トラフ本体の内側に移動した際、相対的に移動する一方の第１側板の前記横凸部は、嵌入している前記横溝部に移動を規制されるようになっており、
前記雄型トラフ本体と前記雌型トラフ本体の互いの向きが切り替え可能に連結されていることを特徴とするコーナー用ケーブルトラフ。
【請求項２】
前記一対の第１側板に跨るように前記雄型トラフ本体に被せられる第１蓋体と、前記一対の第２側板に跨るように前記雌型トラフ本体に被せられる第２蓋体と、を備え、
前記第１底板の下面の両側には下方に突出した底凸部が形成され、前記第２底板の上面には前記底凸部が嵌入する底溝部が形成されており、
前記第１蓋体の上面の両側には上方に突出した蓋凸部が形成され、前記第２蓋体の下面には前記蓋凸部が嵌入する蓋溝部が形成されており、
前記底凸部は前記底溝部内で移動できる状態に嵌入しており、前記蓋凸部は前記蓋溝部内で移動できる状態に嵌入していることを特徴とする請求項１に記載のコーナー用ケーブルトラフ。
【請求項３】
前記第２蓋体を、前記雌型トラフ本体に固定する蓋固定部材を備えたことを特徴とする請求項２に記載のコーナー用ケーブルトラフ。
【発明の詳細な説明】
【技術分野】
【０００１】
本発明は、鉄道線路の近傍等に敷設されるケーブルトラフであって、曲がった経路に敷設するのに適したコーナー用ケーブルトラフに関する。
【背景技術】
【０００２】
従来、一端部に雄型連結部を有し、他端部に雌型連結部を有しているケーブルトラフを用いて、隣のトラフの雌型連結部へ雄型連結部を落し込む要領で複数のケーブルトラフを長さ方向に連結していき、所望する範囲に敷設する施工が行われている（例えば、特許文献１参照。）。【０００３】
ところで、狭隘な鉄道用地内でケーブルトラフの敷設を行う場合、他の設備を避けるために曲がった経路にケーブルトラフを設置しなければならないことがある。
既製品で曲がった形体のケーブルトラフもあるが、敷設経路によってはその曲率と合わないために使い難いことがある。その場合、長尺なケーブルトラフを短く切断した複数のトラフ片を曲がった経路に沿わして並べ、各トラフ片の間をモルタルなどで間詰めする施工を行うことがある。
【先行技術文献】
【特許文献】
【０００４】
【特許文献１】特開２００９−８１９９５号公報
【発明の概要】
【発明が解決しようとする課題】
【０００５】
しかしながら、上記従来技術のように、施工現場にてケーブルトラフを切断したり、複数のトラフ片をモルタルで繋いだりする作業は効率が悪く、仕上がりにもばらつきが生じやすいという問題があった。【０００６】
本発明の目的は、曲がった経路に容易に敷設することができるコーナー用ケーブルトラフを提供することである。
【課題を解決するための手段】
【０００７】
上記目的を達成するため、この発明は、
第１底板と一対の第１側板を備え、前記第１側板の外面の両側に外方に突出した横凸部が形成されてなる雄型連結部を有する雄型トラフ本体と、
第２底板と一対の第２側板を備え、前記第２側板の内面の両側に前記横凸部が嵌入する横溝部が形成されてなる雌型連結部を有する雌型トラフ本体とが、前記雄型連結部と前記雌型連結部を繋いで交互に連結されているコーナー用ケーブルトラフであって、
一方の第１側板が前記第２側板に対し斜め向きで前記雌型トラフ本体の内側に移動した際、相対的に移動する他方の第１側板の前記横凸部は、嵌入している前記横溝部に移動を規制され、
他方の第１側板が前記第２側板に対し斜め向きで前記雌型トラフ本体の内側に移動した際、相対的に移動する一方の第１側板の前記横凸部は、嵌入している前記横溝部に移動を規制されるようになっており、
前記雄型トラフ本体と前記雌型トラフ本体の互いの向きが切り替え可能に連結されているようにした。【０００８】
かかる構成のコーナー用ケーブルトラフにおいて、雄型トラフ本体と雌型トラフ本体は連結された状態を維持しつつ互いの向きを切り替えることができるので、雄型トラフ本体と雌型トラフ本体とが相互に連結されているコーナー用ケーブルトラフであれば、雄型トラフ本体と雌型トラフ本体のそれぞれの連結箇所で互いの向きを切り替えてコーナー用ケーブルトラフを曲がった形体に変形するようにして、コーナー用ケーブルトラフを曲げることができる。
このように、両側に雄型連結部を有する雄型トラフ本体と、両側に雌型連結部を有する雌型トラフ本体が、その雄型連結部と雌型連結部を繋いで交互に連結されているコーナー用ケーブルトラフは、雄型トラフ本体と雌型トラフ本体の連結箇所で互いの向きを切り替えて、コーナー用ケーブルトラフを曲げることができる。
このようなコーナー用ケーブルトラフであれば、敷設する経路に曲がっている箇所があっても、そのカーブの曲がり具合に応じてコーナー用ケーブルトラフを曲げて容易に敷設することができる。【０００９】
また、望ましくは、
前記一対の第１側板に跨るように前記雄型トラフ本体に被せられる第１蓋体と、前記一対の第２側板に跨るように前記雌型トラフ本体に被せられる第２蓋体と、を備え、
前記第１底板の下面の両側には下方に突出した底凸部が形成され、前記第２底板の上面には前記底凸部が嵌入する底溝部が形成されており、
前記第１蓋体の上面の両側には上方に突出した蓋凸部が形成され、前記第２蓋体の下面には前記蓋凸部が嵌入する蓋溝部が形成されており、
前記底凸部は前記底溝部内で移動できる状態に嵌入しており、前記蓋凸部は前記蓋溝部内で移動できる状態に嵌入しているようにした。【００１０】
雄型トラフ本体に第１蓋体を被せた構成の雄型トラフと、雌型トラフ本体に第２蓋体を被せた構成の雌型トラフとの連結体において、底凸部は底溝部内で移動できる状態に嵌入しており、蓋凸部は蓋溝部内で移動できる状態に嵌入しているので、雄型トラフ本体と雌型トラフ本体が互いの向きを切り替えることを妨げないようになっている。
このように、雄型トラフ本体に被せる第１蓋体と、雌型トラフ本体に被せる第２蓋体を備えた構成のコーナー用ケーブルトラフも曲げることができる。【００１１】
また、望ましくは、
前記第２蓋体を、前記雌型トラフ本体に固定する蓋固定部材を備えるようにした。【００１２】
雄型トラフ本体に被せられている第１蓋体は、雌型トラフ本体に被せられている第２蓋体によって押さえられた状態になっているので、蓋固定部材を用いて第２蓋体を雌型トラフ本体に固定することによって、第１蓋体が雄型トラフ本体から外れないように固定することができる。
つまり、第２蓋体を雌型トラフ本体に固定するための蓋固定部材によって、第２蓋体と第１蓋体がそれぞれ雌型トラフ本体と雄型トラフ本体から外れないように固定することができる。
【発明の効果】
【００１３】
本発明によれば、曲がった経路に容易に敷設することができるコーナー用ケーブルトラフが得られる。
【図面の簡単な説明】
【００１４】
【図１】本実施形態のコーナー用ケーブルトラフを示す斜視図である。
【図２】雄型トラフを示す分解斜視図である。
【図３Ａ】雌型トラフを示す分解斜視図である。
【図３Ｂ】第２蓋体の下面側を示す斜視図である。
【図４Ａ】雌型トラフと雄型トラフの連結構造に関する説明図であり、雌型トラフ本体と雄型トラフ本体をそれぞれ上面視して示す説明図である。
【図４Ｂ】雌型トラフと雄型トラフの連結構造に関する説明図であり、雌型トラフ本体と雄型トラフ本体を連結した状態を示す説明図である。
【図４Ｃ】雌型トラフと雄型トラフの連結構造に関する説明図であり、連結している雌型トラフ本体と雄型トラフ本体の向きを切り替えた状態を示す説明図である。
【図４Ｄ】雌型トラフと雄型トラフの連結構造に関する説明図であり、コーナー用ケーブルトラフを曲げた状態を示す説明図である。
【図５】コーナー用ケーブルトラフを敷設した一例を示す説明図である。
【図６Ａ】一端部に雄型連結部を有し他端部に雌型連結部を有しているケーブルトラフの一例を示す上面図である。
【図６Ｂ】一端部に雄型連結部を有し他端部に雌型連結部を有しているケーブルトラフの連結体を示す説明図である。
【図７Ａ】一端部に雄型連結部を有し他端部に雌型連結部を有しているケーブルトラフの一例を示す上面図である。
【図７Ｂ】一端部に雄型連結部を有し他端部に雌型連結部を有しているケーブルトラフの連結体を示す説明図である。
【図８】本実施形態のコーナー用ケーブルトラフと、図７Ｂに示したケーブルトラフの連結体とを比較して示す説明図である。
【発明を実施するための形態】
【００１５】
以下、図面を参照して、本発明に係るコーナー用ケーブルトラフの実施形態について詳細に説明する。但し、以下に述べる実施形態には、本発明を実施するために技術的に好ましい種々の限定が付されているが、本発明の範囲を以下の実施形態及び図示例に限定するものではない。
【００１６】
図１は、コーナー用ケーブルトラフ１００を示す斜視図である。図２は雄型トラフ１０の分解斜視図、図３Ａと図３Ｂは雌型トラフ２０の分解斜視図である。
【００１７】
本実施形態のコーナー用ケーブルトラフ１００は、図１に示すように、雄型トラフ１０と雌型トラフ２０が交互に連結されて、それぞれ複数（図１ではそれぞれ３つ）の雄型トラフ１０と雌型トラフ２０とが相互に連結されているケーブルトラフである。
【００１８】
雄型トラフ１０は、図１、図２に示すように、第１底板１１と一対の第１側板１２を備えている断面略Ｕ形の雄型トラフ本体１３と、一対の第１側板１２に跨るように雄型トラフ本体１３に被せられる略板状の第１蓋体１５とを備えて構成されている。
雄型トラフ本体１３と第１蓋体１５は、樹脂材料からなる部材であり、例えば再生プラスチックが含まれている樹脂材料が使用されている。
【００１９】
雄型トラフ本体１３における第１底板１１の下面の両側には下方に突出した底凸部１１ａが形成されている。
雄型トラフ本体１３における第１側板１２の外面の両側には外方に突出した横凸部１２ａが形成されている。
この雄型トラフ本体１３において、底凸部１１ａと横凸部１２ａが形成されている部分を含む略Ｕ形の両側の縁の近傍がそれぞれ雄型連結部１３ａ，１３ａとして機能する。
また、第１側板１２の上面には、第１蓋体１５を位置合わせするための突起部１２ｂが形成されている。
【００２０】
第１蓋体１５の上面の両側には上方に突出した蓋凸部１５ａが形成されている。
また、第１蓋体１５の長手方向の両端の中央側には、雄型トラフ本体１３（第１側板１２）の突起部１２ｂが係合する係合溝１５ｂが形成されている。
この第１蓋体１５と雄型トラフ本体１３を一体にするように、第１蓋体１５を雄型トラフ本体１３に被せて雄型トラフ１０が組み立てられる。
【００２１】
なお、雄型トラフ本体１３の第１底板１１の底凸部１１ａと、第１蓋体１５の蓋凸部１５ａは、ほぼ同じ形状を有しており、雄型トラフ１０が組み立てられた状態で、底凸部１１ａと蓋凸部１５ａは上下方向に揃う配置となるように設計されている。
【００２２】
雌型トラフ２０は、図１、図３Ａ、図３Ｂに示すように、第２底板２１と一対の第２側板２２を備えている断面略Ｕ形の雌型トラフ本体２３と、一対の第２側板２２に跨るように雌型トラフ本体２３に被せられる略板状の第２蓋体２５と、雌型トラフ本体２３に第２蓋体２５を固定するための蓋固定部材２６とを備えて構成されている。
雌型トラフ本体２３と第２蓋体２５は、樹脂材料からなる部材であり、例えば再生プラスチックが含まれている樹脂材料が使用されている。
蓋固定部材２６は、ステンレスなどの金属板を折曲加工してなる部材である。
【００２３】
雌型トラフ本体２３における第２底板２１の上面には雄型トラフ本体１３の底凸部１１ａが嵌入する底溝部２１ａが形成されている。
雌型トラフ本体２３における第２側板２２の内面の両側には雄型トラフ本体１３の横凸部１２ａが嵌入する横溝部２２ａが形成されている。
この雌型トラフ本体２３において、底溝部２１ａの端部と横溝部２２ａが形成されている部分を含む略Ｕ形の両側の縁の近傍がそれぞれ雌型連結部２３ａ，２３ａとして機能する。
また、第２側板２２の上面には、第２蓋体２５を位置合わせするための係合溝２２ｂが形成されている。
また、第２側板２２の外面上部には、蓋固定部材２６の係合端部２６ａの取り付け位置となる被係合部２２ｃが形成されている。
【００２４】
第２蓋体２５の下面には第１蓋体１５の蓋凸部１５ａが嵌入する蓋溝部２５ａが形成されている（図３Ｂ参照）。
また、第２蓋体１５の長手方向の両端の下面には、雌型トラフ本体２３（第２側板２２）の係合溝２２ｂに係合する突起部２５ｂが形成されている。
また、第２蓋体２５の上面には蓋固定部材２６の取り付け箇所となる長溝２５ｃが形成されている。
この第２蓋体２５と雌型トラフ本体２３を一体にするように、第２蓋体２５を雌型トラフ本体２３に被せて雌型トラフ２０が組み立てられる。
【００２５】
なお、雌型トラフ本体２３の第２底板２１の底溝部２１ａと、第２蓋体２５の蓋溝部２５ａは、ほぼ同じ形状を有しており、雌型トラフ２０が組み立てられた状態で、底溝部２１ａと蓋溝部２５ａは上下方向に対向して揃う配置となるように設計されている。
【００２６】
次に、雄型トラフ１０と雌型トラフ２０を連結する手順について説明する。
【００２７】
まず、雌型トラフ本体２３の横溝部２２ａの上端から雄型トラフ本体１３の横凸部１２ａを横溝部２２ａに沿って下へスライドさせるようにして、雌型トラフ本体２３の横溝部２２ａに雄型トラフ本体１３の横凸部１２ａを嵌入する。
そして、雌型トラフ本体２３の第２底板２１に雄型トラフ本体１３の第１底板１１が達すると、雌型トラフ本体２３の底溝部２１ａに雄型トラフ本体１３の底凸部１１ａが嵌入する。
こうして、雌型連結部２３ａと雄型連結部１３ａを重ね合わせるように繋いで、雌型トラフ本体２３と雄型トラフ本体１３が連結する。
このような雌型トラフ本体２３と雄型トラフ本体１３の組み付けを繰り返し、所望する数の雌型トラフ本体２３と雄型トラフ本体１３を交互に連結する。
【００２８】
次いで、雄型トラフ本体１３に第１蓋体１５を被せて雄型トラフ１０を組み立てる。
そして、全ての雄型トラフ本体１３に第１蓋体１５を被せた後、雌型トラフ本体２３に第２蓋体２５を被せて雌型トラフ２０を組み立てる。この第２蓋体２５を雌型トラフ本体２３に被せた際に、第２蓋体２５の蓋溝部２５ａに第１蓋体１５の蓋凸部１５ａが嵌入する。
【００２９】
次いで、第２蓋体２５の長溝２５ｃに蓋固定部材２６を位置合わせするように取り付け、蓋固定部材２６の係合端部２６ａを雌型トラフ本体２３の被係合部２２ｃに係合させて、第２蓋体２５を雌型トラフ本体２３に固定する。
なお、雄型トラフ１０の雄型連結部１３ａ（底凸部１１ａ、横凸部１２ａ）は、雌型トラフ２０の雌型連結部２３ａ（底溝部２１ａ、横溝部２２ａ）に嵌入し、雄型トラフ１０の第１蓋体１５の蓋凸部１５ａは、雌型トラフ２０の第２蓋体２５の蓋溝部２５ａに嵌入している状態であり、雄型トラフ本体１３に被せられている第１蓋体１５は、雌型トラフ本体２３に被せられている第２蓋体２５によって押さえられた状態になっている。
ここで蓋固定部材２６を用いて第２蓋体２５を雌型トラフ本体２３に固定したことによって、第１蓋体１５が雄型トラフ本体１３から外れないように固定された状態になっている。つまり、蓋固定部材２６によって、第２蓋体２５と第１蓋体１５をそれぞれ雌型トラフ本体２３と雄型トラフ本体１３に固定することができるようになっている。
【００３０】
このような手順で雄型トラフ１０と雌型トラフ２０を組み立てるようにして、雄型トラフ１０と雌型トラフ２０を交互に連結してなるコーナー用ケーブルトラフ１００を組み立てることができる。
なお、雄型トラフ１０と雌型トラフ２０とが連結された状態で、雄型トラフ本体１３の横凸部１２ａは雌型トラフ本体２３の横溝部２２ａ内で移動できる状態に嵌入するように設計されている。
同様に、雄型トラフ本体１３の底凸部１１ａは雌型トラフ本体２３の底溝部２１ａ内で移動できる状態に嵌入するように設計されており、第１蓋体１５の蓋凸部１５ａは第２蓋体２５の蓋溝部２５ａ内で移動できる状態に嵌入するように設計されている。
このように、横凸部１２ａと横溝部２２ａ、底凸部１１ａと底溝部２１ａ、蓋凸部１５ａと蓋溝部２５ａが、それぞれ互いに移動できる状態で嵌入していることによって、雄型トラフ１０と雌型トラフ２０は連結された状態を維持しつつ、互いの向きを切り替えることが可能になり、コーナー用ケーブルトラフ１００が曲がった形体に変形することが可能になっている。
【００３１】
次に、コーナー用ケーブルトラフ１００の曲がる仕組みについて、図４Ａ、図４Ｂ、図４Ｃ、図４Ｄに基づいて説明する。
図４Ａ、図４Ｂ、図４Ｃ、図４Ｄでは、雌型トラフ２０と雄型トラフ１０の連結構造の説明を簡略化するため、雌型トラフ本体２３と雄型トラフ本体１３の上面図を用いている。
なお、第１蓋体１５の蓋凸部１５ａは、雄型トラフ本体１３の底凸部１１ａと挙動が一致し、第２蓋体２５の蓋溝部２５ａは、雌型トラフ本体２３の底溝部２１ａと挙動が一致するので、それぞれ対応させて説明する。
【００３２】
図４Ａは、雌型トラフ本体２３と雄型トラフ本体１３をそれぞれ上面視して示した説明図である。
なお、雄型トラフ本体１３の上面図においては底凸部１１ａを透視した状態で示している（以下、図４Ｂ、図４Ｃ、図４Ｄも同様）。
【００３３】
図４Ｂに示すように、雌型トラフ本体２３の横溝部２２ａに雄型トラフ本体１３の横凸部１２ａが嵌入して、雌型トラフ２０と雄型トラフ１０が連結している状態では、雌型トラフ本体２３の底溝部２１ａに雄型トラフ本体１３の底凸部１１ａが嵌入している。また、図示はしないが、第２蓋体２５の蓋溝部２５ａに第１蓋体１５の蓋凸部１５ａが嵌入している。
【００３４】
そして、図４Ｃに示すように、一方の第１側板１２（図中右側の第１側板１２）が第２側板２２に対し斜め向きで雌型トラフ本体２３の内側に移動した際、相対的に移動する他方の第１側板１２（図中左側の第１側板１２）の横凸部１２ａは、嵌入している横溝部２２ａに移動を規制されるようになっている。
このとき、図中右側の底凸部１１ａは底溝部２１ａの中央側へ移動し、図中左側の底凸部１１ａは底溝部２１ａの端部に接触している。また、図示はしないが、右側の蓋凸部１５ａは蓋溝部２５ａの中央側へ移動し、左側の蓋凸部１５ａは蓋溝部２５ａの端部に接触している。
【００３５】
同様に、他方の第１側板１２（図中左側の第１側板１２）が第２側板２２に対し斜め向きで雌型トラフ本体２３の内側に移動した際、相対的に移動する一方の第１側板１２（図中右側の第１側板１２）の横凸部１２ａは、嵌入している横溝部２２ａに移動を規制されるようになっている。
このように、雌型トラフ２０（雌型トラフ本体２３）と雄型トラフ１０（雄型トラフ本体１３）は連結された状態を維持しつつ、互いの向きを切り替えることが可能になっている。
【００３６】
そして、雌型トラフ本体２３（雌型トラフ２０）と雄型トラフ本体１３（雄型トラフ１０）が交互に連結されて、それぞれ複数（図４Ｄではそれぞれ４つ）の雌型トラフ２０と雄型トラフ１０が相互に連結されているコーナー用ケーブルトラフ１００であれば、図４Ｄに示すように、雌型トラフ２０と雄型トラフ１０のそれぞれの連結箇所で互いの向きを切り替えることで、コーナー用ケーブルトラフ１００を曲げることができる。
【００３７】
このようなコーナー用ケーブルトラフ１００であれば、敷設する経路に曲がっている箇所があっても、そのカーブの曲がり具合に応じてコーナー用ケーブルトラフ１００を曲げて設置することができる。
例えば、図５に示すように、一直線状の経路では長尺なケーブルトラフ５０を長さ方向に連結して敷設し、曲がっている経路にコーナー用ケーブルトラフ１００を設置し、そのコーナー用ケーブルトラフ１００の両端にケーブルトラフ５０を連結するようにすればよい。
【００３８】
なお、コーナー用ケーブルトラフ１００を敷設する経路の曲がり具合（曲がり角度）に応じて連結する雌型トラフ２０と雄型トラフ１０の数を調整すればよい。例えば図５に示したように、コーナー用ケーブルトラフ１００を構成する雌型トラフ２０と雄型トラフ１０の数が多いほど、曲げ角度を大きくすることができる。
また、コーナー用ケーブルトラフ１００を構成する雌型トラフ２０と雄型トラフ１０の数が同じであっても、雌型トラフ２０と雄型トラフ１０の向き（角度）を調整することでコーナー用ケーブルトラフ１００の曲げ角度を調整することができる。例えば、雌型トラフ２０と雄型トラフ１０のなす角度を小さくすればコーナー用ケーブルトラフ１００の曲げ角度は小さくなり、雌型トラフ２０と雄型トラフ１０のなす角度を大きくすればコーナー用ケーブルトラフ１００の曲げ角度は大きくなる。
【００３９】
このように、本実施形態のコーナー用ケーブルトラフ１００であれば、敷設する経路の曲がり具合（曲がり角度）に応じてコーナー用ケーブルトラフ１００を曲げて、その経路に容易に敷設することができる。
【００４０】
なお、上記実施形態では、一方の第１側板１２（図中右側の第１側板１２）が第２側板２２に対し斜め向きで雌型トラフ本体２３の内側に移動した際、相対的に移動する他方の第１側板１２（図中左側の第１側板１２）の横凸部１２ａは、嵌入している横溝部２２ａに移動を規制され、他方の第１側板１２（図中左側の第１側板１２）が第２側板２２に対し斜め向きで雌型トラフ本体２３の内側に移動した際、相対的に移動する一方の第１側板１２（図中右側の第１側板１２）の横凸部１２ａは、嵌入している横溝部２２ａに移動を規制されるようになっていることで、コーナー用ケーブルトラフ１００はケーブルトラフの敷設方向の左右に曲げることができることを説明したが、このコーナー用ケーブルトラフ１００はケーブルトラフの敷設方向の上下に曲げることもできる。
【００４１】
上述したように、雄型トラフ本体１３の底凸部１１ａは雌型トラフ本体２３の底溝部２１ａ内で移動できる状態に嵌入しており、第１蓋体１５の蓋凸部１５ａは第２蓋体２５の蓋溝部２５ａ内で移動できる状態に嵌入している。
そして、第１底板１１が第２底板２１に対し斜め向きで雌型トラフ本体２３の内側に移動した際、相対的に移動する第１蓋体１５の蓋凸部１５ａは、嵌入している蓋溝部２５ａに移動を規制され、第１蓋体１５が第２蓋体２５に対し斜め向きで雌型トラフ本体２３の内側に移動した際、相対的に移動する第１底板１１の底凸部１１ａは、嵌入している底溝部２１ａに移動を規制されるようになっていることで、コーナー用ケーブルトラフ１００はケーブルトラフの敷設方向の上下に曲げることができる。
なお、コーナー用ケーブルトラフ１００が敷設方向の上下に曲がる際、横溝部２２ａに嵌入している横凸部１２ａは、横凸部１２ａの上端や下端が横溝部２２ａに接触し、その移動が規制されるようになっている。
【００４２】
次に、本実施形態のコーナー用ケーブルトラフ１００が曲がる連結体として優れていることについて説明する。
【００４３】
コーナー用ケーブルトラフ１００は、上述したように、その両側に雄型連結部１３ａを有する雄型トラフ１０と、その両側に雌型連結部２３ａを有する雌型トラフ２０を交互に連結してなる連結体である。
これに対し、一端部に雄型連結部７０ａを有し、他端部に雌型連結部７０ｂを有しているケーブルトラフ７０を形成し、その雄型連結部７０ａと雌型連結部７０ｂとを連結してなるケーブルトラフ７０の連結体を組み立て、本実施形態のコーナー用ケーブルトラフ１００との比較を行った。
なお、ケーブルトラフ７０における雄型連結部７０ａと雌型連結部７０ｂの間の領域がトラフ本体７０ｃになっている。
【００４４】
図６Ａに示すように、ケーブルトラフ７０は、連結凸部７１が形成されている雄型連結部７０ａと、連結凹部７２が形成されている雌型連結部７０ｂを有している。なお、雄型連結部７０ａと雌型連結部７０ｂを連結した際、連結凸部７１は連結凹部７２に移動を規制されつつ、連結凹部７２内で移動可能な状態に嵌入するように設計されている。
そして、雌型連結部７０ｂに雄型連結部７０ａを差し込む要領で４つのケーブルトラフ７０を連結して、図６Ｂに示すケーブルトラフ７０の連結体を形成したところ、この連結体の曲げ角度はコーナー用ケーブルトラフ１００よりも小さかった。
【００４５】
次いで、連結体の曲げ角度を大きくするように改良したケーブルトラフ８０を形成した。
図７Ａに示すように、ケーブルトラフ８０は、一端部に連結凸部８１が形成されている雄型連結部８０ａを有し、他端部に連結凹部８２が形成されている雌型連結部８０ｂを有しており、雄型連結部８０ａと雌型連結部８０ｂの間の領域がトラフ本体８０ｃになっている。
このケーブルトラフ８０は、ケーブルトラフ７０のトラフ本体７０ｃと同じサイズのトラフ本体８０ｃを有しており、雄型連結部８０ａ側の端部から雌型連結部８０ｂ側の端部までの寸法（全長）をケーブルトラフ７０よりも長くしたものである。つまり、ケーブルトラフ８０は、雄型連結部８０ａと雌型連結部８０ｂとを連結した際、連結凸部８１は連結凹部８２に移動を規制されるものの、連結凹部８２内で連結凸部８１が移動できる範囲がケーブルトラフ７０よりも大きくなるように設計したものである。
【００４６】
そして、雌型連結部８０ｂに雄型連結部８０ａを差し込む要領で４つのケーブルトラフ８０を連結して、図７Ｂに示すケーブルトラフ８０の連結体を形成したところ、この連結体の曲げ角度はケーブルトラフ７０の連結体の曲げ角度よりも大きくなったものの、コーナー用ケーブルトラフ１００よりは小さかった。具体的には、図８に示すように、ケーブルトラフ８０の連結体の曲率半径は、コーナー用ケーブルトラフ１００よりも大きく、曲げ角度は小さいものであった。
【００４７】
また、ケーブルトラフ７０よりも全長を長くしたケーブルトラフ８０の連結体を曲げた場合、図７Ｂ中の鎖線円で囲った部分に示されているように、雄型連結部８０ａの内壁の角がケーブルトラフ８０の内側に出っ張るようになり、ケーブルトラフ８０の内部空間を狭めてしまうことがわかった。しかも、内側に出っ張った雄型連結部８０ａの内壁の角がケーブルトラフ７０内に収容されているケーブルに接触した場合、ケーブルを傷付けてしまう懸念がある。
これに対し、両側に雄型連結部１３ａを有する雄型トラフ１０と、両側に雌型連結部２３ａを有する雌型トラフ２０を交互に連結してなるコーナー用ケーブルトラフ１００は、曲がった形体に変形してもその内部空間を狭めてしまうことはなく、比較的大きな曲げ角度で曲がることが可能になっている。
【００４８】
このように、両側に雄型連結部１３ａを有する雄型トラフ１０と、両側に雌型連結部２３ａを有する雌型トラフ２０を交互に連結してなるコーナー用ケーブルトラフ１００は、比較的大きな曲げ角度で曲がることができるので、一端部に雄型連結部を有し他端部に雌型連結部を有しているケーブルトラフ７０やケーブルトラフ８０の連結体よりも優れていることがわかる。
【００４９】
以上のように、本実施形態のコーナー用ケーブルトラフ１００は、比較的大きな曲げ角度で曲がることができ、曲がった経路に敷設し易いケーブルトラフである。
【００５０】
なお、以上の実施の形態においては、図１で雌型トラフ２０と雄型トラフ１０が交互に３つずつ連結されているコーナー用ケーブルトラフ１００を例示し、また図５で雌型トラフ２０と雄型トラフ１０が交互に４つずつ連結されているコーナー用ケーブルトラフ１００と、雌型トラフ２０と雄型トラフ１０が交互に７つずつ連結されているコーナー用ケーブルトラフ１００を例示したが、本発明はこれに限定されるものではなく、コーナー用ケーブルトラフ１００を構成する雌型トラフ２０と雄型トラフ１０の数は任意である。
【００５１】
また、その他、具体的な細部構造等についても適宜に変更可能であることは勿論である。
【産業上の利用可能性】
【００５２】
本発明は、以上のように構成されていることから、曲がった経路に敷設するのに適したコーナー用ケーブルトラフとして利用できる。
【符号の説明】
【００５３】
１０    雄型トラフ
１１    第１底板
１１ａ  底凸部
１２    第１側板
１２ａ  横凸部
１２ｂ  突起部
１３    雄型トラフ本体
１３ａ  雄型連結部
１５    第１蓋体
１５ａ  蓋凸部
１５ｂ  係合溝
２０    雌型トラフ
２１    第２底板
２１ａ  底溝部
２２    第２側板
２２ａ  横溝部
２２ｂ  係合溝
２２ｃ  被係合部
２３    雌型トラフ本体
２３ａ  雌型連結部
２５    第２蓋体
２５ａ  蓋溝部
２５ｂ  突起部
２５ｃ  長溝
２６    蓋固定部材
２６ａ  係合端部
１００  コーナー用ケーブルトラフ
【図１】
2016133046.tif 000003
【図２】
2016133046.tif 000004
【図３Ａ】
2016133046.tif 000005
【図３Ｂ】
2016133046.tif 000006
【図４Ａ】
2016133046.tif 000007
【図４Ｂ】
2016133046.tif 000008
【図４Ｃ】
2016133046.tif 000009
【図４Ｄ】
2016133046.tif 000010
【図５】
2016133046.tif 000011
【図６Ａ】
2016133046.tif 000012
【図６Ｂ】
2016133046.tif 000013
【図７Ａ】
2016133046.tif 000014
【図７Ｂ】
2016133046.tif 000015
【図８】
2016133046.tif 000016
【国際調査報告】
2016133046.tif 000017
2016133046.tif 000018